(57)【要約】【課題】光の色および明るさを変化させることなく誘目性を向上することができる照明装置を提供する。【解決手段】第一の白色光を発光する第一の発光部１１と、第二の白色光を発光する第二の発光部１２と、第一の発光部１１から発光される光の光量と第二の発光部１２から発光される光の光量との光量比率を制御する発光制御部２０とを備え、第一の白色光と第二の白色光とは、光色が互いに同一であり、第一の白色光は、目立ち指数が第二の白色光の目立ち指数より高く、発光制御部２０は、第一の発光部１１から発光される光の光量と第二の発光部１２から発光される光の光量との和を一定として、第一の発光部１１から発光される光の光量と第二の発光部１２から発光される光の光量の比率を一定周期で変化させる。【選択図】図１
2019149290.tif 000002
【特許請求の範囲】
【請求項１】
第一の白色光を照射する第一の発光部と、
第二の白色光を照射する第二の発光部と、
前記第一の発光部の光量と前記第二の発光部の光量との光量比率を制御する制御部とを備え、
前記第一の白色光と前記第二の白色光とは、光色が互いに同一であり、
前記第一の白色光は、目立ち指数（ＦＣＩ）が前記第二の白色光の目立ち指数より高く、
前記制御部は、前記第一の発光部から発光される光の光量と前記第二の発光部から発光される光の光量との和を一定として、前記第一の発光部から発光される光の光量と前記第二の発光部から発光される光の光量の比率を一定周期で変化させる、
照明装置。
【請求項２】
前記第一の白色光の目立ち指数は、前記第二の白色光より１０以上高い、
請求項１に記載の照明装置。
【請求項３】
前記第一の白色光の目立ち指数は、前記第二の白色光より２０以上高い、
請求項１または２に記載の照明装置。
【請求項４】
前記第一の発光部および前記第二の発光部から発光される光の光量の比率の変化の周期は、０．１秒以上２秒以下である、
請求項１〜３のいずれか１項に記載の照明装置。
【請求項５】
前記第一の発光部および前記第二の発光部から発光される光の光量の比率の変化の周波数は、０．５Ｈｚ以上１０Ｈｚ以下である、
請求項１〜３のいずれか１項に記載の照明装置。
【請求項６】
前記制御部は、前記第一の発光部から発光される光の光量と前記第二の発光部から発光される光の光量の比率を瞬時に変化させる、
請求項１〜５のいずれか１項に記載の照明装置。
【請求項７】
前記一定周期における前記第一の発光部と前記第二の発光部の点灯時間の比率は、異なっている、
請求項１〜６のいずれか１項に記載の照明装置。
【請求項８】
前記制御部の制御モードを設定する設定部を有し、
前記制御部は、前記制御モードとして、少なくとも、
前記第一の発光部から発光される光の光量が前記第二の発光部から発光される光の光量よりも光量比率が高く定常点灯する第一の発光部定常点灯モードと、
前記第二の発光部から発光される光の光量が前記第一の発光部から発光される光の光量よりも光量比率が高く定常点灯する第二の発光部定常点灯モードと、
前記第一の発光部から発光される光の光量と前記第二の発光部から発光される光の光量の光量比率を時間的に所定の周期で変化させる切替制御モードと、
を含む制御パターンを有し、
前記設定部は、前記制御モードを選択するための選択部を有している、
請求項１〜７のいずれか１項に記載の照明装置。
【発明の詳細な説明】
【技術分野】
【０００１】
本開示は、照明装置に関する。
【背景技術】
【０００２】
従来、照明装置は、視認性を確保するためだけではなく、様々な演出にも用いられている。例えば、看板照明や建築照明においては、人目を惹きつけるような誘目性の高い照明装置が用いられている。
【０００３】
看板等の照明装置には、透光性を有するパネルの背面に光源を配置して照射対象である看板を背面から照らす内照式、照射対象を前方から照らす外照式、蛍光灯やネオン管等の光源を文字や絵柄等の形状に加工して発光させる自発光式等がある（例えば、特許文献１参照）。
【先行技術文献】
【特許文献】
【０００４】
【特許文献１】特開２０１０−２０２７５号公報
【発明の概要】
【発明が解決しようとする課題】
【０００５】
従来技術に係る内照式および外照式の照明装置は、照射対象全体をほぼ均一に照らすため、誘目性が低いという課題がある。また、誘目性を高めるために、蛍光灯やＬＥＤ（Ｌｉｇｈｔ  Ｅｍｉｔｔｉｎｇ  Ｄｉｏｄｅ）等の光源を点滅させる等によって光の色および明るさを変化させる自発光式の照明装置では、煩わしさや違和感を与えたり、光害の一因となったりする。
【０００６】
そこで、本開示は、光の色および明るさを変化させることなく誘目性を向上することができる照明装置を提供することを目的とする。
【課題を解決するための手段】
【０００７】
本発明の一態様に係る照明装置は、第一の白色光を照射する第一の発光部と、第二の白色光を照射する第二の発光部と、前記第一の発光部の光量と前記第二の発光部の光量との光量比率を制御する制御部とを備え、前記第一の白色光と前記第二の白色光とは、光色が互いに同一であり、前記第一の白色光は、目立ち指数が前記第二の白色光の目立ち指数より高く、前記制御部は、前記第一の発光部から発光される光の光量と前記第二の発光部から発光される光の光量との和を一定として、前記第一の発光部から発光される光の光量と前記第二の発光部から発光される光の光量の比率を一定周期で変化させる。
【発明の効果】
【０００８】
本開示に係る照明装置は、光の色および明るさを変化させることなく誘目性を向上することができる。
【図面の簡単な説明】
【０００９】
【図１】実施の形態１に係る照明装置の機能構成を示すブロック図である。
【図２】実施の形態１に係る照明装置の構成を示す斜視図である。
【図３】実施の形態１に係る照明装置の光源部の分光分布の一例を示す図である。
【図４】実施の形態１に係る照明装置における第一の白色光および第二の白色光の色度および目立ち指数の一例を示す図である。
【図５】実施の形態１に係る照明装置の発光出力の制御パターンの一例を示す図である。
【図６Ａ】実施の形態１の変形例１に係る照明装置の発光出力の制御パターンの一例を示す図である。
【図６Ｂ】実施の形態１の変形例２に係る照明装置の発光出力の制御パターンの一例を示す図である。
【図６Ｃ】実施の形態１の変形例３に係る照明装置の発光出力の制御パターンの一例を示す図である。
【図７】実施の形態２に係る照明装置の機能構成を示すブロック図である。
【図８】実施の形態２に係る照明装置の構成を示す斜視図である。
【図９】実施の形態２に係る照明装置の設定部の構成を示す斜視図である。
【発明を実施するための形態】
【００１０】
以下、本発明の実施の形態について、図面を参照しながら説明する。なお、以下で説明する実施の形態は、いずれも包括的または具体的な例を示すものである。以下の実施の形態で示される数値、形状、材料、構成要素、構成要素の配置位置および接続形態などは、一例であり、本発明を限定する主旨ではない。また、以下の実施の形態における構成要素のうち、最上位概念を示す独立請求項に記載されていない構成要素については、任意の構成要素として説明される。
【００１１】
なお、各図は模式図であり、必ずしも厳密に図示されたものではない。また、各図において、実質的に同一の構成に対しては同一の符号を付し、重複する説明は省略または簡略化される場合がある。
【００１２】
（実施の形態１）
［１．照明装置の構成］
まず、本実施の形態に係る照明装置１の構成について説明する。図１は、本実施の形態に係る照明装置１の機能構成を示すブロック図である。図１に示すように、照明装置１は、光源部１０と発光制御部２０とを備えている。
【００１３】
光源部１０は、第一の発光部１１と第二の発光部１２とを有している。第一の発光部１１は、第一の白色光を照射する発光部である。第二の発光部１２は、第二の白色光を照射する発光部である。第一の発光部１１および第二の発光部１２は、例えば、発光素子としてＬＥＤ（Ｌｉｇｈｔ  Ｅｍｉｔｔｉｎｇ  Ｄｉｏｄｅ）を有する発光モジュールで構成されている。より具体的には、ＣＯＢ（Ｃｈｉｐ  Ｏｎ  Ｂｏａｒｄ）型の発光モジュール、ＳＭＤ（Ｓｕｒｆａｃｅ  Ｍｏｕｎｔ  Ｄｅｖｉｃｅ）型の発光モジュール、または、リモートフォスファー型の発光モジュールなどによって実現される。なお、第一の白色光および第二の白色光については、後に詳述する。
【００１４】
発光制御部２０は、後述するように、第一の発光部１１から発光される光の光量と第二の発光部１２から発光される光の光量を変化させる制御部である。発光制御部２０は、駆動回路２１と制御ＩＣ（Ｉｎｔｅｇｒａｔｅｄ  Ｃｉｒｃｕｉｔ）２２とを有している。
【００１５】
駆動回路２１は、第一の発光部１１と第二の発光部１２とを点灯させるための駆動回路である。駆動回路２１は、制御ＩＣ２２から出力される制御信号に応じて光源部１０に電力を供給する。駆動回路２１は、例えば、チョッパ制御回路を含む。
【００１６】
制御ＩＣ２２は、駆動回路２１（チョッパ制御回路）に含まれるスイッチング素子を制御信号によってスイッチングすることによって光源部１０に供給する電流を変化させる。なお、駆動回路２１は、光源部１０が有する、第一の発光部１１および第二の発光部１２の各光源に独立して電力（電流）を供給してもよい。なお、制御ＩＣ２２は、プロセッサ、またはマイクロコンピュータなどによって構成されてもよい。制御ＩＣ２２にプロセッサまたはマイクロコンピュータなどが含まれる場合、発光制御部２０は、制御ＩＣ２２が実行する制御プログラムが記憶される記憶部を備えていてもよい。記憶部は、例えば、半導体メモリによって実現されてもよい。
【００１７】
図２は、本実施の形態に係る照明装置１の構成を示す斜視図である。図２に示すように、照明装置１は、開口を有する筒状の筐体３０を有している。筐体３０の内部には、開口から光が照射されるように、第一の発光部１１および第二の発光部１２とが配置されている。第一の発光部１１および第二の発光部１２は、１つずつ配置されていてもよいし、複数配置されていてもよい。また、第一の発光部１１と第二の発光部１２とを複数配置する場合、第一の発光部１１と第二の発光部１２の個数は同数であってもよいし、異なる個数であってもよい。
【００１８】
第一の発光部１１および第二の発光部１２は、例えば、図２に示すように、隣接する位置に異なる発光部が交互に配置されるように２つずつ配置されている。具体的には、正方形の領域の一の対角線上に２つの第一の発光部１１が配置され、他の対角線上に２つの第二の発光部１２が配置されている。第一の発光部１１および第二の発光部１２が交互に配置されることにより、第一の発光部１１と第二の発光部１２の配光が近いものとなるため、第一の発光部１１と第二の発光部１２との発光を切り替えたときに視覚に与える違和感を軽減することができる。
【００１９】
また、筐体３０には、発光制御部２０（図示せず）が内蔵されている。発光制御部２０は、外部電源（図示せず）等に接続されて、外部から電力が供給される。なお、発光制御部２０は、筐体３０に内蔵されていることに限らず、筐体３０に外付けされている構成であってもよい。
【００２０】
図３は、本実施の形態に係る照明装置１の光源部１０の分光分布の一例を示す図である。図３では、光源部１０における第一の発光部１１から発光される第一の白色光と第二の発光部１２から発光される第二の白色光の放射エネルギーを相対値で示している。
【００２１】
第一の発光部１１は、例えば、発光ピーク波長が４５０ｎｍ以上４９５ｎｍ以下の青色光（単色光）を発する青色ＬＥＤとＹＡＧ蛍光体とで構成されている。第二の発光部１２は、例えば、発光ピーク波長が４５０ｎｍ以上４９５ｎｍ以下の青色光（単色光）を発する青色ＬＥＤ、ＹＡＧ蛍光体およびＳＣＡＳＮ蛍光体とで構成されている。この構成により、図３に示すように、第一の発光部１１から発光される第一の白色光の放射エネルギーは、第二の発光部１２から発光される第二の白色光の放射エネルギーよりも５７０ｎｍ〜５８０ｎｍの波長の光を減少させ、加えて赤色成分のピーク波長を長波長側にシフトさせたものとなっている。
【００２２】
これにより、第一の発光部１１から照射される第一の白色光は、第二の発光部１２から照射される第二の白色光よりも色を鮮やかに演出することができる。すなわち、第一の白色光は、第二の白色光よりも、照射対象物の目立ちや色鮮やかさの程度を表す指標である目立ち指数（ＦＣＩ：Ｆｅｅｌｉｎｇ  ｏｆ  Ｃｏｎｔｒａｓｔ  Ｉｎｄｅｘ）が高いものとなっている。
【００２３】
図４は、本実施の形態に係る照明装置１における第一の白色光および第二の白色光の色度および目立ち指数の一例を示す図である。図４では、第一の白色光と第二の白色光のそれぞれについて、ｘｙ色度座標におけるｘおよびｙの値と、目立ち指数ＦＣＩの値とを示している。
【００２４】
第一の白色光および第二の白色光は、いずれもｘｙ色度座標のｘが０．３４６１、ｙが０．３５４８であり、光色は互いに同一である。また、目立ち指数ＦＣＩについては、第一の白色光の目立ち指数の方が第二の白色光の目立ち指数より高く、１０以上高い値となっている。目立ち指数が１０以上異なれば、照明装置１により照射された照射対象をみた人は変化を感じることができるため、誘目性を向上することができる。
【００２５】
より好ましくは、第一の白色光の目立ち指数の方が第二の白色光の目立ち指数より２０以上高い値としてもよい。例えば、図４に示すように、第一の白色光の目立ち指数は１１０、第二の白色光の目立ち指数は９０としてもよい。第一の白色光と第二の白色光の目立ち指数を２０異なるものとすることにより、照明装置１により照射された照射対象をみた人に、より確実に変化を感じさせることができるため、より誘目性を向上することができる。
【００２６】
［２．光量の制御パターン］
ここで、第一の発光部１１および第二の発光部１２から発光される光の光量を変化させる制御方法について説明する。図５は、本実施の形態に係る照明装置１の発光出力の制御パターンの一例を示す図である。図５において、（ａ）は第一の発光部１１の光量の時間変化、（ｂ）は第二の発光部１２の光量の時間変化、（ｃ）は第一の発光部１１と第二の発光部１２の光量の合計の時間変化を示している。
【００２７】
上述したように、発光制御部２０は、第一の発光部１１から発光される光の光量と第二の発光部１２から発光される光の光量を変化させる。より具体的には、第一の発光部１１から発光される光の光量と第二の発光部１２から発光される光の光量との和を一定として、一定周期毎に第一の発光部１１から発光される光の光量と第二の発光部１２から発光される光の光量の比率を徐々に変化させる。
【００２８】
図５の（ａ）に示すように、発光制御部２０は、第一の発光部１１から発光される光の光量が一定の周期で増減するように制御を行う。また、図５の（ｂ）に示すように、発光制御部２０は、第二の発光部１２から発光される光の光量が、第一の発光部１１から発光される光の光量の増減と同じ周期で、かつ、第一の発光部１１から発光される光の光量が減少したときに増加し、増加したときに減少するように、第二の発光部１２の制御を行う。なお、発光制御部２０は、図５の（ａ）および（ｂ）に示すように、一定周期における第一の発光部１１と第二の発光部１２の点灯時間の割合が同一となるように第一の発光部１１と第二の発光部１２の制御を行っている。
【００２９】
ここで、第一の発光部１１および第二の発光部１２から発光される光の光量の変化の周期は、例えば、０．１秒以上２秒以下に設定されている。周波数でいうと、第一の発光部１１および第二の発光部１２から発光される光の光量の変化は、０．５Ｈｚ以上１０Ｈｚ以下に設定されている。
【００３０】
光量の増減の周期が２秒（周波数１０Ｈｚ）よりも遅い場合には、光量の変化が遅いため、照明装置１により照射された看板等を見た人が変化に気づかないという問題が生じる。また、光量の増減の周期が０．１秒（周波数０．５Ｈｚ）よりも速い場合には、光量の変化が速いため、照明装置１により照射された照射対象を見た人に煩わしさを与えるという問題が生じる。さらに、光量の増減の周期が３０Ｈｚよりも速い場合には、照明装置１により照射された照射対象を見た人が変化に気づかないという問題が生じる。
【００３１】
このような制御により、図５の（ｃ）に示すように、第一の発光部１１から発光される光の光量と第二の発光部１２から発光される光の光量の合計値は、一定となる。したがって、照明装置１では、異なる目立ち指数の２つの光の光量の比率を変化させるものの、光の色および明るさを変化させることがないため、無彩色を含む照射空間に対する煩わしさや違和感を軽減させつつ、有彩色を含む照射対象物への誘目性を向上することができる。例えば、白地に赤い文字を含む看板を照明装置１により照射した場合には、赤い文字のみ色鮮やかさを変化させ白地の背景には影響を与えずに、看板の誘目性を向上させることができる。また、照射対象を見る人の違和感や煩わしさを軽減することができる。
【００３２】
このように、本実施の形態に係る照明装置１によると、照射対象を見る人に対する煩わしさや違和感を軽減させつつ、誘目性を向上することができる。
【００３３】
なお、上述した数値には、誤差が含まれてもよいものとする。
【００３４】
［３．効果等］
以上、本実施の形態に係る照明装置１は、第一の白色光を照射する第一の発光部と、第二の白色光を照射する第二の発光部と、前記第一の発光部の光量と前記第二の発光部の光量との光量比率を制御する制御部とを備え、前記第一の白色光と前記第二の白色光とは、光色が互いに同一であり、前記第一の白色光は、目立ち指数が前記第二の白色光の目立ち指数より高く、前記制御部は、前記第一の発光部から発光される光の光量と前記第二の発光部から発光される光の光量との和を一定として、前記第一の発光部から発光される光の光量と前記第二の発光部から発光される光の光量の比率を一定周期で変化させる。
【００３５】
これにより、異なる目立ち指数の２つの光の光量の比率を変化させるものの、光の色および明るさを変化させることがないため、無彩色を含む照射空間に対する煩わしさや違和感を軽減させつつ、有彩色を含む照射対象物への誘目性を向上することができる。
【００３６】
また、前記第一の白色光の目立ち指数は、前記第二の白色光より１０以上高くてもよい。
【００３７】
これにより、照明装置１により照射された照射対象をみた人は変化を感じることができるため、誘目性を向上することができる。
【００３８】
また、前記第一の白色光の目立ち指数は、前記第二の白色光より２０以上高くてもよい。
【００３９】
これにより、照明装置１により照射された照射対象をみた人に、より確実に変化を感じさせることができるため、より誘目性を向上することができる。
【００４０】
また、前記第一の発光部および前記第二の発光部から発光される光の光量の比率の変化の周期は、０．１秒以上２秒以下であってもよい。
【００４１】
また、前記第一の発光部および前記第二の発光部から発光される光の光量の比率の変化の周波数は、０．５Ｈｚ以上１０Ｈｚ以下であってもよい。
【００４２】
これにより、照明装置１により照射された照射対象をみた人が変化を感じることができる速さで、第一の発光部１１から発光される光と第二の発光部１２から発光される光の光量の比率を変化させるので、照射対象を見る人に対する煩わしさや違和感を軽減させつつ、誘目性を向上することができる。
【００４３】
（実施の形態１の変形例１）
次に、実施の形態１の変形例１に係る照明装置１について説明する。図６Ａは、本変形例に係る照明装置の発光出力の制御パターンの一例を示す図である。図６Ａにおいて、（ａ）は第一の発光部１１の光量の時間変化、（ｂ）は第二の発光部１２の光量の時間変化、（ｃ）は第一の発光部１１と第二の発光部１２の光量の合計の時間変化を示している。
【００４４】
実施の形態１の照明装置１では、発光制御部２０は、一定周期毎に第一の発光部１１から発光される光の光量と第二の発光部１２から発光される光の光量の比率を徐々に変化させることしたが、発光制御部２０は、第一の発光部１１から発光される光の光量と第二の発光部１２から発光される光の光量の比率を瞬時に変化させてもよい。
【００４５】
例えば、図６Ａに示すように、第一の発光部１１から発光される光の光量と第二の発光部１２から発光される光の光量の比率を、１００％と０％とで瞬時にすなわちパルス状に交互に変化させる。このとき、図６Ａの（ｃ）に示すように、第一の発光部１１から発光される光の光量と第二の発光部１２から発光される光の光量の合計値は一定である。
【００４６】
これにより、第一の発光部１１から発光される光の光量と第二の発光部１２から発光される光の光量の比率の変化が急激に行われることとなるので、より誘目性を向上することができる。
【００４７】
（実施の形態１の変形例２）
次に、実施の形態１の変形例２に係る照明装置１について説明する。図６Ｂは、本変形例に係る照明装置の発光出力の制御パターンの一例を示す図である。図６Ｂにおいて、（ａ）は第一の発光部１１の光量の時間変化、（ｂ）は第二の発光部１２の光量の時間変化、（ｃ）は第一の発光部１１と第二の発光部１２の光量の合計の時間変化を示している。
【００４８】
上述した実施の形態１の変形例１では、第一の発光部１１から発光される光の光量と第二の発光部１２から発光される光の光量の比率を１００％と０％とで交互に変化させることとしたが、これに限らず、第一の発光部１１から発光される光の光量と第二の発光部１２から発光される光の光量の比率は、他の比率であってもよい。
【００４９】
例えば、図６Ｂの（ａ）および（ｂ）に示すように、第一の発光部１１から発光される光の光量と第二の発光部１２から発光される光の光量の比率を８０％と２０％とでパルス状に交互に変化させる。このとき、図６Ｂの（ｃ）に示すように、第一の発光部１１から発光される光の光量と第二の発光部１２から発光される光の光量の合計値は一定である。
【００５０】
これにより、第一の発光部１１から発光される光の光量と第二の発光部１２から発光される光の光量の差が小さくなるので、誘目性を向上しつつ、違和感をより低減することができる。
【００５１】
（実施の形態１の変形例３）
次に、実施の形態１の変形例３に係る照明装置１について説明する。図６Ｃは、本変形例に係る照明装置の発光出力の制御パターンの一例を示す図である。図６Ｃにおいて、（ａ）は第一の発光部１１の光量の時間変化、（ｂ）は第二の発光部１２の光量の時間変化、（ｃ）は第一の発光部１１と第二の発光部１２の光量の合計の時間変化を示している。
【００５２】
上述した実施の形態１、実施の形態１の変形例１および変形例２では、発光制御部２０は、一定周期における第一の発光部１１と第二の発光部１２の点灯時間の割合が同一となるように第一の発光部１１と第二の発光部１２の制御を行ったが、これに限らず、発光制御部２０は、一定周期のうちで、第一の発光部１１と第二の発光部１２の点灯時間を異なる比率としてもよい。
【００５３】
例えば、図６Ｃの（ａ）および（ｂ）に示すように、時刻ｔ０から時刻ｔ１までは、第一の発光部１１から発光される光の光量を１００％から０％まで一定の割合で減少させ、第二の発光部１２から発光される光の光量を同じ割合で０％から１００％まで増加させる。
【００５４】
また、時刻ｔ１から時刻ｔ２までは、第一の発光部１１から発光される光の光量を一定の割合で０％から１００％まで増加させ、第二の発光部１２から発光される光の光量を同じ割合で１００％から０％まで減少させる。
【００５５】
さらに、時刻ｔ２から時刻ｔ３までは、第一の発光部１１から発光される光の光量を一定値の１００％で維持し、第二の発光部１２から発光される光の光量を０％で維持する。つまり、一周期における第一の発光部１１と第二の発光部１２の点灯時間の比率は異なるものとなっている。また、図６Ｃの（ｃ）に示すように、第一の発光部１１から発光される光の光量と第二の発光部１２から発光される光の光量の合計値は一定である。
【００５６】
これにより、第一の発光部１１から発光される光の光量と第二の発光部１２から発光される光の光量の比率を所定のパターンで変化させることができる。したがって、光量の比率の変化にバリエーションを持たせることができるので、より誘目性を向上することができる。
【００５７】
（実施の形態２）
次に、実施の形態２に係る照明装置２について説明する。図７は、本実施の形態に係る照明装置２の機能構成を示すブロック図である。図８は、本実施の形態に係る照明装置２の構成を示す斜視図である。
【００５８】
本実施の形態に係る照明装置２が実施の形態１にかかる照明装置１と異なる点は、発光制御部２０が制御モードを有し、ユーザが設定部４０により制御モードを選択することができる点である。以下、本実施の形態に係る照明装置２の構成について、実施の形態１に係る照明装置１と異なる点について説明する。
【００５９】
図７に示すように、照明装置２は、光源部１０と、発光制御部２０と、設定部４０とを備えている。光源部１０は、実施の形態１に示した照明装置１と同様、第一の発光部１１と第二の発光部１２とを有している。発光制御部２０は、実施の形態１に示した照明装置１と同様、駆動回路２１と制御ＩＣ２２とを有している。
【００６０】
また、図８に示すように、照明装置２は、実施の形態１に示した照明装置１と同様、筐体３０を有している。筐体３０の内部には、開口から光が照射されるように、第一の発光部１１および第二の発光部１２とが配置されている。第一の発光部１１および第二の発光部１２の構成は、実施の形態１に示した第一の発光部１１および第二の発光部１２と同様であるため、詳細な説明は省略する。また、筐体３０には、発光制御部２０（図示せず）が内蔵されている。発光制御部２０は、外部電源（図示せず）等に接続されて、外部から電力が供給される。なお、発光制御部２０は、筐体３０に内蔵されていることに限らず、筐体３０に外付けされている構成であってもよい。
【００６１】
また、発光制御部２０には、設定部４０が接続されている。設定部４０は、図８に示すように、筐体３０から離れた位置に配置することができる。なお、設定部４０は、筐体３０から離れた位置に配置されることに限らず、例えば筐体３０の外側に取り付けられていてもよい。
【００６２】
ここで、発光制御部２０において、制御ＩＣ２２は、制御モードとして、少なくとも第一の発光部定常点灯モードと、第二の発光部定常点灯モードと、切替制御モードとを有している。
【００６３】
第一の発光部定常点灯モードでは、発光制御部２０は、第一の発光部１１から発光される光の光量が第二の発光部１２から発光される光の光量よりも光量比率が高くなるように、第一の発光部１１および第二の発光部１２を定常点灯させる。つまり、第一の発光部定常点灯モードは、他の制御モードが選択されるまで、第二の発光部１２よりも目立ち指数の高い光を発光する第一の発光部１１による発光が継続される制御モードである。
【００６４】
第二の発光部定常点灯モードでは、発光制御部２０は、第二の発光部１２から発光される光の光量が第一の発光部１１から発光される光の光量よりも光量比率が高くなるように、第一の発光部１１および第二の発光部１２を定常点灯させる。つまり、第二の発光部定常点灯モードは、他の制御モードが選択されるまで、第一の発光部１１よりも目立ち指数の低い光を発光する第二の発光部１２による発光が継続される制御モードである。第二の発光部定常点灯モードでは、第一の発光部定常点灯モードよりも発光効率を向上することができる。
【００６５】
切替制御モードでは、発光制御部２０は、第一の発光部１１から発光される光の光量と第二の発光部１２から発光される光の光量の光量比率を、時間的に所定の周期で変化させる。つまり、切替制御モードは、他の制御モードが選択されるまで、上述した実施の形態１等に示したように第一の発光部１１から発光される光の光量と第二の発光部１２から発光される光の光量の光量比率を変化させる制御モードである。
【００６６】
ユーザは、照射対象をどのくらい目立たせたいのか、または、周囲の環境により、上述した制御モードを選択し、選択した制御モードで照明装置２を動作させることができる。
【００６７】
図９は、本実施の形態に係る照明装置２の設定部４０の構成を示す斜視図である。設定部４０は、発光制御部２０の制御モードを設定するコントローラである。
【００６８】
図９に示すように、設定部４０は、上述した制御パターンのモードを選択するための選択部４１、４２および４３を有している。選択部４１、４２および４３は、それぞれ、発光制御部２０の制御モードを切替制御モード、第一の発光部定常点灯モードおよび第二の発光部定常点灯モードに切り替えるためのボタンである。
【００６９】
ユーザは、設定部４０において選択部４１、４２および４３のいずれかを押すことにより、上述した制御モードを任意に選択することができる。これにより、ユーザは、照明装置２における第一の発光部１１と第二の発光部１２の発光パターンを切り替えることができる。
【００７０】
以上、本実施の形態に係る照明装置２は、前記制御部の制御モードを設定する設定部有し、前記制御部は、前記制御モードとして、少なくとも、前記第一の発光部から発光される光の光量が前記第二の発光部から発光される光の光量よりも光量比率が高く定常点灯する第一の発光部定常点灯モードと、前記第二の発光部から発光される光の光量が前記第一の発光部から発光される光の光量よりも光量比率が高く定常点灯する第二の発光部定常点灯モードと、前記第一の発光部から発光される光の光量と前記第二の発光部から発光される光の光量の光量比率を時間的に所定の周期で変化させる切替制御モードと、を含む制御パターンを有し、前記設定部は、前記制御モードを選択するための選択部を有していてもよい。
【００７１】
これにより、ユーザは、照明装置２における第一の発光部１１と第二の発光部１２の発光パターンを切り替え、照射対象をどのくらい目立たせたいのか、または、周囲の環境により、所望の誘目性で照射対象を照射する照明装置２を提供することができる。
【００７２】
（その他の実施の形態）
以上、本発明の実施の形態に係る照明装置について説明したが、本発明は、上述した実施の形態に限定されるものではない。
【００７３】
例えば、発光制御部における発光出力の制御パターンは、上述したものに限らず適宜変更してもよい。
【００７４】
また、発光制御部における制御モードは、第一の発光部定常点灯モードと、第二の発光部定常点灯モードと、切替制御モードに限らず、他の制御モードを有していてもよい。
【００７５】
また、発光制御部は、筐体に内蔵されていることに限らず、筐体に外付けされている構成であってもよい。
【００７６】
また、第一の発光部および第二の発光部は、１つずつ配置されていてもよいし、複数配置されていてもよい。また、第一の発光部と第二の発光部とを複数配置する場合、第一の発光部と第二の発光部の個数は同数であってもよいし、異なる個数であってもよい。また、第一の発光部および第二の発光部以外の発光部をさらに備える構成としてもよい。
【００７７】
また、第一の発光部および第二の発光部の種類についても、ＬＥＤに限らずその他の光源を用いた発光部としてもよい。また、第一の発光部および第二の発光部は、発光素子が光学レンズで覆われた構成であってもよいし、光学レンズを有しない構成であってもよい。
【００７８】
また、上述した実施の形態および変形例で用いた数値、形状、材料等は、全て本発明を具体的に説明するために例示するものであり、本発明は例示された数値、形状、材料等に制限されない。
【００７９】
以上、実施の形態および変形例について、当業者が思いつく各種変形を施して得られる形態や、本発明の趣旨を逸脱しない範囲で実施の形態および変形例における構成要素および機能を任意に組み合わせることで実現される形態も本発明に含まれる。
【符号の説明】
【００８０】
１、２  照明装置
１１  第一の発光部
１２  第二の発光部
２０  発光制御部（制御部）
２１  駆動回路（制御部）
２２  制御ＩＣ（制御部）
４０  設定部
４１、４２、４３  選択部
【図１】
2019149290.tif 000003
【図２】
2019149290.tif 000004
【図３】
2019149290.tif 000005
【図４】
2019149290.tif 000006
【図５】
2019149290.tif 000007
【図６Ａ】
2019149290.tif 000008
【図６Ｂ】
2019149290.tif 000009
【図６Ｃ】
2019149290.tif 000010
【図７】
2019149290.tif 000011
【図８】
2019149290.tif 000012
【図９】
2019149290.tif 000013